(57)【特許請求の範囲】
【請求項１】
複数の感光体に対してそれぞれ複数のビームを走査する光走査装置であって、
複数のビームを同時に放射する光源と、該光源から放射された複数のビームを一の感光体を走査するビーム束ごとに規制する絞りと、前記光源から放射された複数のビームを主走査方向に偏向する偏向器と、該偏向器にて偏向されたビームを感光体上に結像する走査光学素子と、それぞれの感光体に向けて前記ビーム束を分離する複数の分離ミラーと、を備え、
一の感光体を走査するビーム束が通過する単一の絞りは、前記光源と前記偏向器との間に配置され、
前記偏向器に向かうビームは副走査方向に所定の角度を持って偏向器の偏向面に入射し、
少なくとも一つの走査光学素子には全てのビームが透過し、
前記分離ミラーは前記偏向器に近い順に第１、第２、第３分離ミラーが配置され、
第１分離ミラーで分離される第１ビーム束と第２分離ミラーで分離される第２ビーム束は互いに隣接して前記偏向器で偏向され、
第２ビーム束が通過する絞りの像の位置が、第１分離ミラーと第３分離ミラーとの間に配置されており、
前記各ビーム束が通過する前記絞りと前記偏向器との間に全てのビーム束が透過するレンズが配置されており、第１ビーム束を規制する絞りと第２ビーム束を規制する絞りとの前記レンズに対する距離が異なるように配置されることにより、第１ビーム束が通過する絞りの像の位置と第２のビーム束が通過する絞りの像の位置とが異なっていること、
を特徴とする光走査装置。
【請求項２】
第１ビーム束が通過する絞りの像の位置が、第１分離ミラーよりも偏向器側に配置された走査光学素子の第１分離ミラー側の面と、第２分離ミラーとの間に配置されていること、を特徴とする請求項１に記載の光走査装置。
【請求項３】
第３分離ミラーで分離されるビーム束が通過する絞りの像の位置が、第２分離ミラーと、第３分離ミラーよりも感光体側に配置された走査光学素子の偏向器側の面との間に配置されていることを特徴とする請求項１又は請求項２に記載の光走査装置。
【請求項４】
前記走査光学素子は第１、第２及び第３走査レンズによって構成され、第１及び第２走査レンズは全てのビームが透過すること、を特徴とする請求項１ないし請求項３のいずれかに記載の光走査装置。
【請求項５】
一の感光体を走査する複数のビームは、複数の発光点を有する一つの光源から発せられることを特徴とする請求項１ないし請求項４のいずれかに記載の光走査装置。
【発明の詳細な説明】
【技術分野】
【０００１】
本発明は、光走査装置、特に、電子写真法による画像形成装置に搭載され、感光体上に静電潜像を形成するための光走査装置に関する。
【背景技術】
【０００２】
近年、電子写真複写機、プリンタなどの画像形成装置はフルカラー機が多数実用化されており、４色（Ｙ，Ｍ，Ｃ，Ｋ）のトナー画像を形成する四つの感光体を備え、各感光体上に形成されたトナー画像を合成するタンデム方式が主流を占めている。そして、タンデム方式の画像形成装置に搭載されるプリントヘッドとしての光走査装置は、高速・高密度化が要請されており、各感光体に対して同時に複数のビームを走査するマルチビーム化が実現されている。
【０００３】
特許文献１には、像面上のビームスポット径の変動を小さくすることを目的として、偏向器による偏向光束の偏向起点から結像点までの距離と、絞りの共役像から結像点までの距離を規定した光走査装置が記載されている。特許文献２には、前記同様の目的で、開口絞りから出射したビームを副走査方向に集光する光学系の前側焦点位置よりも光源に近い位置に配置する際の条件式で規定した光走査装置が記載されている。
【０００４】
また、特許文献３には、光路分離ミラーの近傍でビームを収束させるようにした光走査装置が記載されている。特許文献４には、異なる感光体を走査する隣接するビームの光路配置と分離について規定した光走査装置が記載されている。但し、特許文献３，４は各感光体を走査するビームが単一の場合に関して言及しているのみであり、各感光体をマルチビームで走査する場合にどのように取り扱うかの記載はない。
【０００５】
ところで、各感光体をマルチビームで走査する光走査装置では、偏向器で偏向された複数のビーム束を各感光体へ向かうように分離する必要がある。マルチビーム方式では、感光体に向かうビーム束の各主光線が副走査方向に所定の間隔を有しているため、隣接するビーム束間の主光線間隔が狭くなり、ミラーでビーム束を分離することが困難であるという問題点を有している。隣接するビーム束の間隔を広げて分離を容易にするために、偏向器へ入射するビームの角度を大きくすることが考えられるが、これでは光学性能が悪化することになり、実際的ではない。
【特許文献１】特開平７−１１０４５１号公報
【特許文献２】特開２００６−２５９５７４号公報
【特許文献３】特開２００４−１０９４６２号公報
【特許文献４】特開２００６−９１７９７号公報
【発明の開示】
【発明が解決しようとする課題】
【０００６】
そこで、本発明の目的は、光学性能を悪化させることなく、複数の感光体を走査するビーム束の分離を容易に行うことのできる光走査装置を提供することにある。
【課題を解決するための手段】
【０００７】
前記目的を達成するため、本発明の一形態である光走査装置は、
複数の感光体に対してそれぞれ複数のビームを走査する光走査装置であって、
複数のビームを同時に放射する光源と、該光源から放射された複数のビームを一の感光体を走査するビーム束ごとに規制する絞りと、前記光源から放射された複数のビームを主走査方向に偏向する偏向器と、該偏向器にて偏向されたビームを感光体上に結像する走査光学素子と、それぞれの感光体に向けて前記ビーム束を分離する複数の分離ミラーと、を備え、
一の感光体を走査するビーム束が通過する単一の絞りは、前記光源と前記偏向器との間に配置され、
前記偏向器に向かうビームは副走査方向に所定の角度を持って偏向器の偏向面に入射し、
少なくとも一つの走査光学素子には全てのビームが透過し、
前記分離ミラーは前記偏向器に近い順に第１、第２、第３分離ミラーが配置され、
第１分離ミラーで分離される第１ビーム束と第２分離ミラーで分離される第２ビーム束は互いに隣接して前記偏向器で偏向され、
第２ビーム束が通過する絞りの像の位置が、第１分離ミラーと第３分離ミラーとの間に配置されており、
前記各ビーム束が通過する前記絞りと前記偏向器との間に全てのビーム束が透過するレンズが配置されており、第１ビーム束を規制する絞りと第２ビーム束を規制する絞りとの前記レンズに対する距離が異なるように配置されることにより、第１ビーム束が通過する絞りの像の位置と第２のビーム束が通過する絞りの像の位置とが異なっていること、
を特徴とする。
【０００９】
前記光走査装置は、単一の偏向器の一つの偏向面で光源から同時に放射されたビームを偏向するタイプ（片側偏向タイプ）の光走査装置である。
【００１０】
前記光走査装置では、絞りの像の位置でビームの主光線の副走査方向の位置が一致する性質を利用し、絞りの位置と分離ミラーとを適切に配置することで、各感光体に向かうビーム束の主光線間隔の小さい位置で該ビーム束を隣接するビーム束から分離している。従って、分離位置に配置した分離ミラーが隣接して通過するビーム束に干渉することが抑制され、ビーム束の分離を容易に行うことができる。しかも、偏向器へ入射するビームの角度を必要以上に大きくすることがなく、光学性能の悪化を招来することはない。
【００１１】
より詳しくは、前記光走査装置において、第１分離ミラーと第３分離ミラーとの間では第２ビーム束の複数のビームの副走査方向の主光線間隔が狭くなる。そのため、第１分離ミラーにおいて、第１ビーム束の第２ビーム束に最も近いビームと第２ビーム束の第１ビーム束に最も近いビームとの間隔が広くなり、第１ビーム束の分離が容易になる。さらに、第２分離ミラーにおいて、第２ビーム束の第３ビーム束に最も近いビームと第３ビーム束の第２ビーム束に最も近いビームとの間隔が広くなり、第２ビーム束の分離が容易になる。
【００１３】
前記光走査装置においては、第１ビーム束が通過する絞りの像の位置が、第１分離ミラーよりも偏向器側に配置された走査光学素子の第１分離ミラー側の面と、第２分離ミラーとの間に配置されていてもよい。第１分離ミラーの近傍で第１ビーム束の複数のビームの副走査方向の主光線間隔が狭くなる。そのため、第１分離ミラーにおいて、第１ビーム束の第２ビーム束に最も近いビームと第２ビーム束の第１ビーム束に最も近いビームとの間隔がさらに広くなり、第１ビーム束の分離が容易になる。
【００１４】
また、第３分離ミラーで分離されるビーム束が通過する絞りの像の位置が、第２分離ミラーと、第３分離ミラーよりも感光体側に配置された走査光学素子の偏向器側の面との間に配置されていてもよい。第３分離ミラーの近傍で分離されるビーム束の複数のビームの副走査方向の主光線間隔が狭くなる。そのため、第３分離ミラーにおいて、分離されるビーム束とそれに隣接するビーム束との間隔が広くなり、第３ビーム束の分離が容易になる。
【００１５】
さらに、走査光学素子は第１、第２及び第３走査レンズによって構成され、第１及び第２走査レンズは全てのビームが透過するように構成してもよい。良好な像面性能を保ちつつ、走査光学素子の設置個数を少なくすることができる。
【００１６】
また、前記光走査装置において、一の感光体を走査する複数のビームは、複数の発光点を有する一つの光源から発せられることが好ましい。ビーム合成手段が不要になり、光源部をコンパクトに構成できる。
【発明を実施するための最良の形態】
【００１７】
以下、本発明に係る光走査装置の実施例について添付図面を参照して説明する。なお、各実施例において同じ部材、部分には共通する符号を付し、重複する説明は省略する。
【００１８】
（第１〜第３実施例、図１〜図５参照）
図１は、本発明に係る光走査装置の第１〜第３実施例の概略構成を平面的に示し、図２は光路の副走査方向の断面を示す。この光走査装置は、光源ユニット１と、ポリゴンミラー１０と、第１及び第２ウインドウガラス１１，１２と、第１、第２及び第３走査レンズ１５，１６，１７と、第１、第２及び第３分離ミラー２１，２２，２３と、光路折曲げミラー２４〜２８と、第３ウインドウガラス１３とを備え、これらをハウジング３０に収容したものである。光源ユニット１はＬＤ（レーザダイオード）アレイ２とコリメータレンズ３と絞り４とシリンダレンズ５とで構成されている。
【００１９】
この光走査装置は、図２に示すように、四つの感光体ドラム４０（４０ｙ，４０ｍ，４０ｃ，４０ｋ）をビーム束Ｂ（Ｂｙ，Ｂｍ，Ｂｃ，Ｂｋ）によって同時に走査するもので、タンデム方式の画像形成装置に搭載される。添字ｙはイエロー、ｍはマゼンタ、ｃはシアン、ｋはブラックの各色を意味する。
【００２０】
光源ユニット１は４色に対応して４組のものが配置されている。ＬＤアレイ２は、複数のビーム（例えば、四つのビーム）を同時に放射するタイプが用いられ、光源ユニット１からは４ビーム×４色でトータルでは１６ビームが放射される。各ＬＤアレイ２においては、図４に示すように、それぞれの発光点２ａ，２ｂ，２ｃ，２ｄは、副走査方向Ｚに対して所定の角度θをもって配置されている。
【００２１】
ＬＤアレイ２から放射されたビーム（拡散光）は、コリメータレンズ３で集光され、４本のビーム束ごとに共通の絞り４を通過し、シリンダレンズ５を経て、ポリゴンミラー１０に入射する。これらのビームはポリゴンミラー１０の回転に基づいて七つの反射面によって等角速度で主走査方向Ｙに偏向され、走査レンズ１５，１６を透過した後、以下に説明するようにビーム束Ｂｙ，Ｂｍ，Ｂｃ，Ｂｋごとに分離され、それぞれの第３走査レンズ１７や光路折曲げミラー２４〜２８を透過して各感光体ドラム４０ｙ，４０ｍ，４０ｃ，４０ｋ上に結像し、等速走査する。
【００２２】
各感光体ドラム４０ｙ，４０ｍ，４０ｃ，４０ｋを走査するビーム束Ｂｙ，Ｂｍ，Ｂｃ，Ｂｋが通過する各絞り４は、ＬＤアレイ２とポリゴンミラー１０との間に配置されている。各絞り４を通過したそれぞれのビームは、副走査方向Ｚに所定の角度を持ってポリゴンミラー１０の偏向面に入射する。
【００２３】
図２に示すように、第１及び第２走査レンズ１５，１６を透過した各ビームは、副走査方向Ｚに関して最も下段を通過するビーム束Ｂｙ（第１ビーム束とも記す）は第１分離ミラー２１にて分離され、ビーム束Ｂｍ（第２ビーム束とも記す）は第２分離ミラー２２にて分離され、最も上段を通過するビーム束Ｂｃ（第４ビーム束とも記す）は第３分離ミラー２３にて分離される。また、ビーム束Ｂｋ（第３ビーム束とも記す）は分離されることなく直進して第３走査レンズ１７を透過し、折曲げミラー２４にて感光体ドラム４０ｋの方向に折り曲げられる。
【００２４】
ここで、第２走査レンズ１６から出射された隣接するビーム束Ｂｙ，Ｂｍについて考察すると、図５に示すように、分離されるビーム束Ｂｙに隣接するビーム束Ｂｍ（四つのビームＢ１〜Ｂ４からなる）と、分離されるビーム束Ｂｙ（四つのビームＢ５〜Ｂ８からなる）とは、最も近いビームＢ４，Ｂ５間では間隔Ｈ１となり、この間隔Ｈ１は狭く、第１分離ミラー２１が隣接するビーム束Ｂｍに干渉することになる。
【００２５】
そこで、第１、第２及び第３実施例においては、それぞれのビーム束ごとに光軸方向Ｘにおける各絞り４のシリンダレンズ５との距離が異なるように配置し、各ビーム束の絞り４の像の位置を各ビーム束を分離する第１、第２及び第３分離ミラー２１，２２，２３の位置とほぼ一致させている。つまり、第１実施例（以下の表１〜表１０参照）では、ビーム束Ｂｙの絞りの像は第１分離ミラー２１の近傍に、ビーム束Ｂｍの絞りの像は第２分離ミラー２２の近傍に、ビーム束Ｂｃの絞りの像は第３分離ミラー２３の近傍に、それぞれ位置している。
【００２６】
第２実施例（以下の表１１〜表１４参照）では、絞り４の配置を第１実施例とは変更しており、ビーム束Ｂｙの絞りの像は第２走査レンズ１６の感光体ドラム４０側の面頂点の近傍に、ビーム束Ｂｍの絞りの像は第１分離ミラー２１の近傍に、ビーム束Ｂｃの絞りの像は第２分離ミラー２２の近傍に、それぞれ位置している。
【００２７】
第３実施例（以下の表１５〜表１９参照）では、第１実施例とはシリンダレンズ５の焦点距離を変更し、感光体ドラム４０上の副走査方向Ｚのビームピッチを１／２にしている。絞りの像の位置は第１実施例と同様である。
【００２８】
図３を参照して絞り４とその像の位置を説明する。図３では、簡略化のために、ビームＢｙ，Ｂｍのみを示し、各ビーム束Ｂｙ，Ｂｍでは２本の主光線のみを示している。物面（光源）から出射されたビーム束Ｂｙ，Ｂｍはそれぞれ絞り４ｙ，４ｍを通過する。絞り４ｙ，４ｍは各ビーム束Ｂｙ，Ｂｍに共通に配置され、各ビーム束Ｂｙ，Ｂｍの主光線は絞り４ｙ，４ｍの中心を通過する。絞り４ｙ，４ｍを通過した各ビーム束Ｂｙ，Ｂｍはポリゴンミラー１０で主走査方向Ｙに偏向され、第１及び第２走査レンズ１５，１６を経た後、絞りの像４ｙ’，４ｍ’を形成する。この絞りの像４ｙ’の位置において、分離されるビーム束Ｂｙの各ビームＢ５〜Ｂ８は、図５に符号Ｂで示すように、副走査方向Ｚの中心に一致する。それゆえ、ビーム束Ｂｙ（符号Ｂに集約されている）とそれに隣接するビーム束Ｂｍの最も近いビームＢ４との間隔Ｈ２は従来の間隔Ｈ１よりも大きくなり、ビーム束Ｂｙをビーム束Ｂｍから分離する構成が容易になる。
【００２９】
互いに隣接するビーム束Ｂｍとビーム束Ｂｃとの関係、ビーム束Ｂｃとビーム束Ｂｋとの関係も前記と同様である。また、各ビーム束に対する絞りの像の位置を各ビーム束を分離する第１、第２及び第３分離ミラー２１，２２，２３の位置と完全に一致させる必要はなく、近傍であればよい。
【００３０】
第１、第２及び第３実施例に関しては、ビーム束Ｂｍが通過する絞りの像の位置が、第１分離ミラー２１と第３分離ミラー２３との間に配置されていればよい。また、ビーム束Ｂｙが通過する絞りの像の位置が、第１走査レンズ１５の第２面（第１分離ミラー２１側の面）と、第２分離ミラー２２との間に配置されていてもよい。この場合、第１分離ミラー２１の近傍でビーム束Ｂｙの複数のビームの副走査方向Ｚの主光線間隔が狭くなる。そのため、第１分離ミラー２１において、ビーム束Ｂｙの第２ビーム束Ｂｍに最も近いビームとビーム束Ｂｍのビーム束Ｂｙに最も近いビームとの間隔がさらに広くなり、ビーム束Ｂｙの分離が容易になる。
【００３１】
また、第３分離ミラー２３で分離されるビーム束Ｂｃが通過する絞りの像の位置が、第２分離ミラー２２と、ビーム束Ｂｃの光路に設けた第３走査レンズ１７の第１面（ポリゴンミラー１０側の面）との間に配置されていてもよい。第３分離ミラー２３の近傍でビーム束Ｂｃの複数のビームの副走査方向Ｚの主光線間隔が狭くなる。そのため、第３分離ミラー２３において、ビーム束Ｂｍとそれに隣接するビーム束Ｂｋとの間隔が広くなり、ビーム束Ｂｍの分離が容易になる。
【００３２】
ここで、第１実施例における光学系のコンストラクションデータを表１〜表４に示す。表１は第１ビーム束Ｂｙ、表２は第２ビーム束Ｂｍ、表３は第３ビーム束Ｂｋ、表４は第４ビーム束Ｂｃが、それぞれ通過する素子のデータを示している。また、表５には第１１面（第１走査レンズ１５の第１面）の自由曲面係数データを示し、表６には第１２面（第１走査レンズ１５の第２面）の自由曲面係数データを示す。表７には第４面（シリンダレンズ５の第１面）の副走査方向Ｚの曲率を示し、表８にはコリメータレンズ３の第２面の非球面係数データを示す。
【００３３】
さらに、表９に第１ビーム束Ｂｙ及び第４ビーム束Ｂｃに関して、第１５面（第３走査レンズ１７の第１面）の自由曲面係数データを示す。表１０に第２ビーム束Ｂｍ及び第３ビーム束Ｂｋに関して、第１５面（第３走査レンズ１７の第１面）の自由曲面係数データを示す。
【００３４】
自由曲面は式（１）に示す自由曲面式にて算出される。また、非球面は式（２）に示す軸対称非球面式にて算出される。
【００３５】
【数１】
0005050682.tif 000002
【００３６】
【数２】
0005050682.tif 000003
【００３７】
【表１】
0005050682.tif 000004
【００３８】
【表２】
0005050682.tif 000005
【００３９】
【表３】
0005050682.tif 000006
【００４０】
【表４】
0005050682.tif 000007
【００４１】
【表５】
0005050682.tif 000008
【００４２】
【表６】
0005050682.tif 000009
【００４３】
【表７】
0005050682.tif 000010
【００４４】
【表８】
0005050682.tif 000011
【００４５】
【表９】
0005050682.tif 000012
【００４６】
【表１０】
0005050682.tif 000013
【００４７】
次に、第２実施例における光学系のコンストラクションデータを表１１〜表１４に示す。表１１は第１ビーム束Ｂｙ、表１２は第２ビーム束Ｂｍ、表１３は第３ビーム束Ｂｋ、表１４は第４ビーム束Ｂｃが、それぞれ通過する素子のデータを示し、前記第１実施例と同じデータは省略している。表１１〜表１４以外のデータは前記第１実施例と同じである。
【００４８】
【表１１】
0005050682.tif 000014
【００４９】
【表１２】
0005050682.tif 000015
【００５０】
【表１３】
0005050682.tif 000016
【００５１】
【表１４】
0005050682.tif 000017
【００５２】
次に、第３実施例における光学系のコンストラクションデータを表１５〜表１８に示す。表１５は第１ビーム束Ｂｙ、表１６は第２ビーム束Ｂｍ、表１７は第３ビーム束Ｂｋ、表１８は第４ビーム束Ｂｃが、それぞれ通過する素子のデータを示し、前記第１実施例と同じデータは省略している。また、表１９には第４面（シリンダレンズ５の第１面）の副走査方向Ｚの曲率を示している。表１５〜表１９以外のデータは前記第１実施例と同じである。
【００５３】
【表１５】
0005050682.tif 000018
【００５４】
【表１６】
0005050682.tif 000019
【００５５】
【表１７】
0005050682.tif 000020
【００５６】
【表１８】
0005050682.tif 000021
【００５７】
【表１９】
0005050682.tif 000022
【００５８】
ところで、第１、第２及び第３実施例において、分離ミラー２１，２２，２３の配置は表２０に示すとおりである。表２１、表２２及び表２３には、それぞれ第１、第２及び第３実施例において、分離ミラー２１，２２，２３の位置ごとに、分離されるビーム束とそれに隣接するビーム束との最も近接したビームの主光線の副走査方向間隔を示す。
【００５９】
なお、表２０及び以下に示す表２６で原点とは、光源ユニット１から放射されたビームの光軸Ｘ１と偏向されたビームの光軸Ｘ２との交点をいう。また、各表において寸法値の単位はｍｍである。
【００６０】
【表２０】
0005050682.tif 000023
【００６１】
【表２１】
0005050682.tif 000024
【００６２】
【表２２】
0005050682.tif 000025
【００６３】
【表２３】
0005050682.tif 000026
【００６４】
（変形例、図６参照）
前記第１、第２及び第３実施例のようにポリゴンミラー１０の片側で偏向するタイプの光走査装置においては、図６に示すように、第３ビーム束を第３分離ミラー２３にて分離し、感光体ドラム４０ｃを走査するビーム束Ｂｃとして用いてもよい。第４ビーム束は感光体ドラム４０ｋを走査するビーム束Ｂｋとして用いられる。この場合、ビーム束Ｂｃにおいて絞りの像は第２分離ミラー２２の近傍、あるいは、第３分離ミラー２３の近傍に配置されることになる。また、ビーム束Ｂｋにおいて絞りの像は第３分離ミラー２３の近傍に配置してもよい。
【００６５】
（第４実施例、図７参照）
図７は、本発明に係る光走査装置の第４実施例の概略構成を、副走査方向Ｚの断面として示す。この光走査装置は、図１に示した光源ユニット１を備え、ポリゴンミラー１０の二つの偏向面でそれぞれ複数のビームを偏向する両側偏向タイプとして構成されている。第１走査レンズ１５ａ，１５ｂ、第２走査レンズ１６ａ，１６ｂ及び第３走査レンズ１７の配置は、ポリゴンミラー１０の回転軸に対して対称である。
【００６６】
ビーム束Ｂｃ，Ｂｋが一の偏向面で同時に偏向され、ビーム束Ｂｙ，Ｂｍが他の偏向面で同時に偏向される。本第４実施例では、図７の右側で副走査方向Ｚに関して下側を通過するビーム束Ｂｃを第１ビーム束、上側を通過するビーム束Ｂｋを第２ビーム束とも記す。また、図７の左側で副走査方向Ｚに関して下側を通過するビーム束Ｂｍを第３ビーム束、上側を通過するビーム束Ｂｙを第４ビーム束とも記す。
【００６７】
ビーム束Ｂｃは第１及び第２走査レンズ１５ａ，１６ａを透過した後、分離ミラー２９ａで分離され、第３走査レンズ１７を透過し、折曲げミラー３１で反射されて感光体ドラム４０ｃを走査する。ビーム束Ｂｋは第１及び第２走査レンズ１５ａ，１６ａを透過した後、折曲げミラー３２で反射され、第３走査レンズ１７を透過し、折曲げミラー３３で反射されて感光体ドラム４０ｋを走査する。また、ビーム束Ｂｙは第１及び第２走査レンズ１５ｂ，１６ｂを透過した後、折曲げミラー３４で反射され、第３走査レンズ１７を透過し、折曲げミラー３５で反射されて感光体ドラム４０ｙを走査する。ビーム束Ｂｍは第１及び第２走査レンズ１５ｂ，１６ｂを透過した後、分離ミラー２９ｂで反射され、第３走査レンズ１７を透過し、折曲げミラー３６で反射されて感光体ドラム４０ｍを走査する。
【００６８】
本第４実施例においても、ビーム束Ｂｙ，Ｂｍ，Ｂｃ，Ｂｋが通過する各絞り４（図１参照）は、ＬＤアレイ２とポリゴンミラー１０との間に配置されている。そして、各絞り４を通過したそれぞれのビームは、副走査方向Ｚに所定の角度を持ってポリゴンミラー１０の偏向面に入射する。
【００６９】
また、分離ミラー２９ａ，２９ｂで分離されるビーム束Ｂｃ，Ｂｍが通過する絞りの像の位置は、第２走査レンズ１６ａ，１６ｂの分離ミラー２９ａ，２９ｂ側の面と、第３走査レンズ１７の第１面との間に配置されている。具体的には、両側の各光路において、絞り４とシリンダレンズ５との光軸方向Ｘの距離は、ビーム束Ｂｃ，Ｂｍで同じ、ビーム束Ｂｋ，Ｂｙで同じである。そして、各ビーム束において、絞りの像は分離ミラー２９ａ，２９ｂの近傍に位置している。
【００７０】
ここで、第４実施例における光学系のコンストラクションデータを表２４及び表２５に示す。表２４は第１ビーム束Ｂｃ及び第３ビーム束Ｂｍ、表２５は第２ビーム束Ｂｋ及び第４ビーム束Ｂｙが、それぞれ通過する素子のデータを示し、前記第１実施例と同じデータは省略している。表２４及び表２５以外のデータは前記第１実施例と同じである。
【００７１】
【表２４】
0005050682.tif 000027
【００７２】
【表２５】
0005050682.tif 000028
【００７３】
本第４実施例において、分離ミラー２９ａ，２９ｂの配置は表２６に示すとおりである。また、表２７には、分離ミラー２９ａ，２９ｂの位置において分離されるビーム束とそれに隣接するビーム束との最も近接したビームの主光線の副走査方向間隔を示す。
【００７４】
【表２６】
0005050682.tif 000029
【００７５】
【表２７】
0005050682.tif 000030
【００７６】
（光源の構成、図８及び図９参照）
前記第１〜第４実施例において、各色のビーム束Ｂｙ，Ｂｍ，Ｂｃ，Ｂｋを放射する光源としては、例えば、各色ごとに４本のビームを放射するのであれば、図８に示すように、四つの発光点を有する単一のＬＤアレイ２を用いてもよい。あるいは、図９に示すように、二つの発光点を有するＬＤアレイ２ａ，２ｂを互いの光軸を直交させて組み合わせ、ビーム合成素子６で光軸方向Ｘを揃えてもよい。単一のＬＤアレイ２を用いると、ビーム合成素子６が不要であり、光源部をコンパクトに構成できる利点を有する。
【００７７】
（他の実施例）
なお、本発明に係る光走査装置は前記実施例に限定するものではなく、その要旨の範囲内で種々に変更することができる。
【００７８】
特に、光源ユニットの構成や走査レンズの構成、形状などは任意である。また、前記具体的数値で示した各実施例のコンストラクションデータなどは一例であることは勿論である。
【図面の簡単な説明】
【００７９】
【図１】本発明に係る光走査装置の第１、第２及び第３実施例（片側偏向タイプ）の概略構成を示す平面図である。
【図２】前記光走査装置の副走査方向断面を示す光路図である。
【図３】絞り及びその像の位置を示す光路図である。
【図４】四つの発光点を有するＬＤアレイを示す斜視図である。
【図５】隣接する二つのビーム束における各ビームの近接位置を示す説明図である。
【図６】片面偏向タイプの光走査装置の変形例を示す光路図である。
【図７】本発明に係る光走査装置の第４実施例（両側偏向タイプ）の概略構成を示す平面図である。
【図８】光源の第１例を示す説明図である。
【図９】光源の第２例を示す説明図である。
【符号の説明】
【００８０】
１…光源ユニット
２…ＬＤアレイ
１０…ポリゴンミラー
１５，１６，１７…走査レンズ
２１，２２，２３，２９ａ，２９ｂ…分離ミラー
４０…感光体ドラム（被走査面）
Ｂｙ，Ｂｍ，Ｂｃ，Ｂｋ…ビーム束
Ｘ…光軸方向
Ｙ…主走査方向
Ｚ…副走査方向
【図１】
0005050682.tif 000031
【図２】
0005050682.tif 000032
【図３】
0005050682.tif 000033
【図４】
0005050682.tif 000034
【図５】
0005050682.tif 000035
【図６】
0005050682.tif 000036
【図７】
0005050682.tif 000037
【図８】
0005050682.tif 000038
【図９】
0005050682.tif 000039